(57)【要約】【課題】簡易で安価な回路構成でありながら、位相制御式の調光回路の最小保持電流の不足分から生じる誤動作を防ぐことが可能な照明装置を提供する。【解決手段】照明装置１は、商用交流電源Ｖａｃから供給される交流の導通角を制御することにより、照明用光源である負荷６に供給される電流を位相制御する調光回路２と、調光回路２から出力される交流電圧を整流する整流回路３と、整流回路３から出力される直流電圧を平滑化する平滑回路４と、平滑回路４により平滑化された電圧に応じて負荷６を発光させる点灯回路５とを備え、さらに、整流回路３と平滑回路４との間に、点灯回路５に流れる電流の増減に応じて負荷電流を自動的に増減させることにより、調光回路２が正常動作する最小保持電流を維持する負荷回路７を備えている。【選択図】図１
2011003467.tif 000002
【特許請求の範囲】
【請求項１】
商用交流電源から供給される交流の導通角を制御することにより、照明用光源に供給される電流を位相制御する調光回路と、該調光回路から出力される交流電圧を整流する整流回路と、該整流回路から出力される直流電圧を平滑化する平滑回路と、該平滑回路により平滑化された電圧に応じて前記照明用光源を発光させる点灯回路とを備えた照明装置において、前記整流回路と前記平滑回路との間に、前記調光回路が正常動作する最小保持電流を維持する負荷回路を備えたことを特徴とする照明装置（請求項１）。
【請求項２】
前記負荷回路は、前記調光回路に流れる電流を検出して前記調光回路の前記最小保持電流の不足分を誘導する制御信号を出力する定電流制御回路と、該定電流制御回路からの制御信号を入力して前記調光回路の前記最小保持電流の不足分を流す可変電流回路とを有することを特徴とする請求項１に記載の照明装置。
【請求項３】
前記定電流制御回路は、前記調光回路に流れる電流を検出する検出抵抗と前記制御信号を送出する半導体素子を有することを特徴とする請求項２に記載の照明装置。
【請求項４】
前記半導体素子は、第１のトランジスタまたはツェナーダイオードであることを特徴とする請求項３に記載の照明装置。
【請求項５】
前記可変電流回路は、第２のトランジスタと、該第２のトランジスタのベースもしくはゲート端子に一端が接続され、他端が前記整流回路の出力の一端に接続された第１の抵抗素子とを有することを特徴とする請求項２に記載の照明装置。
【請求項６】
前記可変電流回路は、前記第２のトランジスタのコレクタもしくはドレイン端子に接続される第２の抵抗素子をさらに有することを特徴とする請求項５に記載の照明装置。
【請求項７】
前記可変電流回路は、第２のトランジスタと、該第２のトランジスタのベースもしくはゲート端子に一端が接続され、他端が前記平滑回路を構成する第１のダイオードとコンデンサの接続点に接続された第１の抵抗素子とを有することを特徴とする請求項２に記載の照明装置。
【請求項８】
前記定電流制御回路は、前記検出抵抗に並列接続された少なくとも１個のダイオードからなる第２のダイオードをさらに有することを特徴とする請求項３または４に記載の照明装置。
【発明の詳細な説明】
【技術分野】
【０００１】
本発明は、照明用光源の調光を実施可能な照明装置、詳しくは、位相制御式の調光回路を用いて蛍光灯あるいはＬＥＤ等の照明用光源の調光を実施可能な照明装置に関する。
【背景技術】
【０００２】
従来、双方向三端子サイリスタ（以下、単にサイリスタという）を用いて照明用光源の調光を実施する位相制御式の調光回路が知られている。この調光回路は、典型的には、その制御部によりサイリスタの導通角を制御することで、調光回路に供給される商用交流電源電圧のデューティ比を変化させることにより、照明用光源に供給する電力量を変化させ、調光を実施するものである。
【０００３】
このような位相制御式の調光回路は、従来、白熱灯用の調光器として広く用いられているが、蛍光灯またはＬＥＤ等の負荷電流が小さい照明用光源に対して適用する場合、次のような問題が生じることが知られている。すなわち、サイリスタは、トリガが入力されてオン状態になった後、そのオン状態を維持するために、主端子間に所定の最小保持電流以上の電流が流れている必要があるものである。したがって、蛍光灯またはＬＥＤ等の負荷電流が小さい照明用光源の照明装置にこの調光回路を適用した場合、光源の負荷電流によってサイリスタのオン状態を安定に維持することが困難となり、調光回路の誤動作が発生して照明がちらつく等の問題が生じる。
【０００４】
このような問題に対処するために、従来、定電流回路を用いてサイリスタの最小保持電流を維持するようにした照明装置（例えば、特許文献１参照）、または、ＬＥＤを点灯させるためのコンバータ回路からの制御信号によって駆動するダミー負荷を備えた照明装置（例えば、特許文献２参照）が提案されている。
【先行技術文献】
【特許文献】
【０００５】
【特許文献１】特開２００７−２２７１５５号公報
【特許文献２】特表２００７−５３８３７８号公報
【発明の概要】
【発明が解決しようとする課題】
【０００６】
しかしながら、特許文献１に記載されたような定電流回路を用いた構成では、負荷電流によってサイリスタの最小保持電流が維持されている場合でも、常に定電流回路に電流が流れているため、装置の消費電力が増加してしまうという問題がある。
また、特許文献２に記載されたようなダミー負荷を用いた照明装置では、ＬＥＤを点灯させるためのコンバータ回路からの制御信号にてダミー負荷を駆動するため、最適な制御信号の生成が困難であり、また、回路規模が大型化してしまうという問題がある。
【０００７】
本発明は、上記課題に鑑みてなされたものであり、簡易で安価な回路構成でありながら、位相制御式の調光回路の最小保持電流の不足分から生じる誤動作を防ぐことが可能な照明装置を提供することを目的とする。
【課題を解決するための手段】
【０００８】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００９】
（１）商用交流電源から供給される交流の導通角を制御することにより、照明用光源に供給される電流を位相制御する調光回路と、該調光回路から出力される交流電圧を整流する整流回路と、該整流回路から出力される直流電圧を平滑化する平滑回路と、該平滑回路により平滑化された電圧に応じて前記照明用光源を発光させる点灯回路とを備えた照明装置において、前記整流回路と前記平滑回路との間に、前記調光回路が正常動作する最小保持電流を維持する負荷回路を備えたことを特徴とする照明装置（請求項１）。
【００１０】
（２）（１）項に記載の照明装置において、前記負荷回路は、前記調光回路に流れる電流を検出して前記調光回路の前記最小保持電流の不足分を誘導する制御信号を出力する定電流制御回路と、該定電流制御回路からの制御信号を入力して前記調光回路の前記最小保持電流の不足分を流す可変電流回路とを有することを特徴とする照明装置（請求項２）。
【００１１】
（３）（２）項に記載の照明装置において、前記定電流制御回路は、前記調光回路に流れる電流を検出する検出抵抗と前記制御信号を送出する半導体素子を有することを特徴とする照明装置（請求項３）。
【００１２】
（４）（３）項に記載の照明装置において、前記半導体素子は、第１のトランジスタまたはツェナーダイオードであることを特徴とする照明装置（請求項４）。
【００１３】
（５）（２）項に記載の照明装置において、前記可変電流回路は、第２のトランジスタと、該第２のトランジスタのベースもしくはゲート端子に一端が接続され、他端が前記整流回路の出力の一端に接続された第１の抵抗素子とを有することを特徴とする照明装置（請求項５）。
【００１４】
（６）（５）項に記載の照明装置において、前記可変電流回路は、前記第２のトランジスタのコレクタもしくはドレイン端子に接続される第２の抵抗素子をさらに有することを特徴とする照明装置（請求項６）。
【００１５】
（７）（２）項に記載の照明装置において、前記可変電流回路は、第２のトランジスタと、該第２のトランジスタのベースもしくはゲート端子に一端が接続され、他端が前記平滑回路を構成する第１のダイオードとコンデンサの接続点に接続された第１の抵抗素子とを有することを特徴とする照明装置（請求項７）。
【００１６】
（８）（３）項または（４）項に記載の照明装置において、前記定電流制御回路は、前記検出抵抗に並列接続された少なくとも１個のダイオードからなる第２のダイオードをさらに有することを特徴とする照明装置。
【発明の効果】
【００１７】
本発明は、以上のように構成したことにより、簡易で安価な回路構成でありながら、調光回路の最小保持電流の不足分から生じる調光回路の誤動作を防ぐことが可能な調光装置を提供することが可能となる。
【図面の簡単な説明】
【００１８】
【図１】本発明の第１実施形態における照明装置の回路構成図である。
【図２】本発明の第１実施形態における照明装置の負荷回路を示す回路図である。
【図３】本発明の第１実施形態における照明装置において、各点の電流を示す電流波形図である。
【図４】本発明の第２実施形態における照明装置の負荷回路を示す回路図である。
【図５】（ａ）は、本発明の第３実施形態における照明装置の負荷回路を示す回路図、（ｂ）は、本発明の第３実施形態における照明装置において、各点の電流を示す電流波形図である。
【図６】（ａ）は、本発明の第４実施形態における照明装置の負荷回路を示す回路図、（ｂ）は、本発明の第４実施形態における照明装置において、各点の電流を示す電流波形図である。
【図７】（ａ）は、本発明の第５実施形態における照明装置の負荷回路を示す回路図、（ｂ）は、本発明の第５実施形態における照明装置において、各点の電流を示す電流波形図である。
【発明を実施するための形態】
【００１９】
以下、本発明の実施の形態について、添付図面に基づいて説明する。
（第１実施形態）
図１に示す照明装置１は、商用交流電源Ｖａｃから供給される交流の導通角を制御することにより、照明用光源である負荷６に供給される電流を位相制御する調光回路２と、調光回路２から出力される交流電圧を整流する整流回路３と、整流回路３から出力される直流電圧を平滑化する平滑回路４と、平滑回路４により平滑化された電圧に応じて照明用光源である負荷６を発光させる点灯回路５とを備えている。
【００２０】
ここで、調光回路２は、サイリスタＱ０を備え、さらに、典型的には、商用交流電源Ｖａｃの所定の導通角でサイリスタＱ０に対してトリガを供給し、サイリスタＱ０をオン状態にするための制御部（図示は省略する）、及び、その所定の導通角を様々に設定することにより負荷６の調光の度合いを変えるための可変抵抗等を含んでいる。
【００２１】
また、整流回路３は、４つのダイオードＤ１〜Ｄ４からなる周知のダイオードブリッジとして構成された全波整流回路であり、平滑回路４は、第１のダイオードＤ５とコンデンサＣ１とにより構成されている。そして、点灯回路５は、負荷６に応じた電力を供給する電力変換回路であり、例えば、負荷６がＬＥＤの場合、ＤＣ−ＤＣコンバータ回路から構成されて負荷６に対して直流電流を出力するものである。
【００２２】
本実施形態における照明装置１は、整流回路３と平滑回路４との間に、調光回路２が正常動作する最小保持電流を維持する負荷回路７を備えており、負荷回路７は、定電流制御回路８と可変電流回路９を備えている。そして、以下の説明するように、定電流制御回路８は、調光回路２に流れる電流を検出抵抗Ｒ１により検出して調光回路２の最小保持電流の不足分を誘導する制御信号を第１のトランジスタＱ１により可変電流回路９へ出力する。可変電流回路９は、定電流制御回路８からの制御信号を受け取り、第２のトランジスタＱ２により調光回路２の最小保持電流の不足分を流すものである。
【００２３】
図２を参照して、本実施形態における定電流制御回路８及び可変電流回路９の構成及び作用を具体的に説明すると、次の通りである。図２に示すように、定電流制御回路８は、検出抵抗Ｒ１と第１のトランジスタＱ１からなる半導体素子により構成され、可変電流回路９は、第２のトランジスタＱ２からなる半導体素子と抵抗（第１の抵抗素子）Ｒ２により構成されている。
【００２４】
定電流制御回路８において、検出抵抗Ｒ１の一端は、整流回路３の出力の一端に接続され、他端は平滑回路３のコンデンサＣ１の一端に接続されている。また、第１のトランジスタＱ１のベース端子は、検出抵抗Ｒ１の他端とともに可変電流回路９の第２のトランジスタＱ２のエミッタに接続され、第１のトランジスタＱ１のコレクタ端子は、第２のトランジスタＱ２のベースに接続されている。また、可変電流回路９において、第１の抵抗素子Ｒ２の一端は、整流回路３の出力の他端に接続され、他端は、第１のトランジスタＱ１のコレクタ端子とともに第２のトラジスタＱ２のベース端子に接続されている。そして、第２のトランジスタＱ２のコレクタ端子は、第１の抵抗素子Ｒ２の一端とともに整流回路３の出力の他端に接続されている。
【００２５】
本実施形態における負荷回路７において、定電流回路８の検出抵抗Ｒ１には、点灯回路５に流れる電流Ｉｃと第２のトランジスタＱ２のコレクタ電流である負荷回路７の負荷電流Ｉｖが流れており、これらの和が調光回路２に流れる電流Ｉｏにほぼ相等する。ここで、点灯回路５に流れる電流Ｉｃが減少すると、検出抵抗Ｒ１の両端電圧である第１のトランジスタＱ１のベース・エミッタ間電圧が減少し、これによって第２のトランジスタＱ２のベース電流が増大するため、コレクタ電流Ｉｖも増大する。逆に、点灯回路５に流れる電流Ｉｃが増大すると、検出抵抗Ｒ１の両端電圧である第１のトランジスタＱ１のベース・エミッタ間電圧が増大し、これによって第２のトランジスタＱ２のベース電流が減少するため、コレクタ電流Ｉｖも減少する。
【００２６】
図３の電流波形図において、Ａ、Ｂ、Ｃで示す各波形は、それぞれ図１に示すＡ（商用交流電源Ｖａｃの入力）、Ｂ（調光回路２の出力）、Ｃ（整流回路３の出力）における波形であり、Ｉｃ、Ｉｖ、Ｉｏは、それぞれ図２に示すＩｃ、Ｉｖ、Ｉｏに対応する。図３に示す例では、調光回路２は、そのサイリスタＱ０が、導通角９０°〜１８０°及び２７０°〜３６０°でオンとなるように設定されている。そして、点灯回路５に流れる電流Ｉｃは、整流回路３の出力波形に応じて次第に減少するが、上述したように可変電流回路９における第２のトランジスタＱ２のコレクタ電流Ｉｖが、その減少分を補うように増大するため、調光回路２に流れる電流Ｉｏは、導通角９０°〜１８０°及び２７０°〜３６０°の期間中、サイリスタＱ０の最小保持電流以上の値に維持されている。
【００２７】
このように、本実施形態における照明装置１では、整流回路３と平滑回路４との間に負荷回路７を備えたことにより、点灯回路５に流れる電流Ｉｃが減少しても、可変電流回路９における第２のトランジスタＱ２のコレクタ電流Ｉｖが増大してその減少分を補うように自動的に調整されるため、調光回路２に流れるＩｏはほぼ一定に維持される。そして、この電流Ｉｏが調光回路２を構成するサイリスタＱ０の最小保持電流以上となるように負荷回路７の各回路要素を選定することにより、調光回路２の誤動作を防ぐことができる。
【００２８】
したがって、本実施形態における照明装置１は、蛍光灯またはＬＥＤ等の低消費電力の（すなわち負荷電流の小さい）照明用光源を負荷６として適用した場合でも、ちらつき等を生じさせることなく安定に点灯させ、かつ調光することが可能である。その際、本実施形態における負荷回路７は、点灯回路５に流れる電流Ｉｃが増大した場合には、第２のトランジスタＱ２のコレクタ電流Ｉｖが減少するように自動的に調整され、調光回路２のサイリスタＱ０の最小保持電流を維持するために必要な電流のみが流れるものであるため、照明装置の低消費電力化のために有利なものである。
【００２９】
尚、本実施形態における照明装置１において、整流回路３、負荷回路７、平滑回路４、点灯回路５からなる部分（以下、照明用電源回路ともいう）は、調光回路２を介することなく直接商用交流電源に接続しても、負荷６の点灯動作に何ら支障はないものであり、必要に応じて調光回路２を有しない照明装置等に容易に転用可能である点で、高い汎用性を有するものである。
【００３０】
次に、本発明の第２〜５の実施形態における照明装置について説明するが、本発明の第２〜５実施形態における照明装置は、上述した第１実施形態における照明装置と比較して、その負荷回路が相違するのみであるため、図示及び詳細な説明は省略し、以下では、主として、それぞれの負荷回路と第１実施形態における負荷回路との相違点について説明する。また、以下の説明において、図１及び図２に示す構成要素に対応する構成要素には、同一の符号を付して参照する。
【００３１】
（第２実施形態）
図４に示すように、本実施形態における負荷回路７ａは、定電流制御回路８ａの半導体素子がツェナーダイオードＺＤ１であり、可変電流回路９ａの第２のトランジスタＱ３がＭＯＳＦＥＴである点で、図２に示す負荷回路７と相違するものである。
【００３２】
本実施形態における負荷回路７ａにおいても、点灯回路５に流れる電流Ｉｃが減少すると、検出抵抗Ｒ１の両端電圧が減少し、これによって第２のトランジスタＱ３のゲート・ソース間電圧が増大するため、ドレイン電流Ｉｖが増大する。逆に、点灯回路５に流れる電流が増大すると、検出抵抗Ｒ１の両端電圧が増大し、これによって第２のトランジスタＱ３のゲート・ソース間電圧が減少するため、ドレイン電流Ｉｖが減少する。
【００３３】
これによって、本実施形態における負荷回路７ａを用いた照明装置は、上述した第１実施形態における照明装置１と同様の作用効果を奏するものである。更に、一般に電力制御用の高耐圧のスイッチング素子はＭＯＳＦＥＴが主流であり、市販されている素子の種類等も豊富であるため、本発明に係る負荷回路及び照明装置を実際に構成する際に、素子の選定が容易である。また、ツェナーダイオードＺＤ１を用いた定電流制御回路８ａの構成は、簡素な構成により、ＭＯＳＦＥＴである第２のトランジスタＱ３に対して十分高いゲート電圧を印加するために好適なものである。
【００３４】
（第３実施形態）
図５（ａ）に示すように、本実施形態における負荷回路７ｂは、その可変電流回路９ｂが、第２の抵抗素子Ｒ３をさらに有する点で、図２に示す負荷回路７と相違するものである。第２の抵抗素子Ｒ３は、その一端が第２のトランジスタＱ２のコレクタ端子に接続され、他端が整流回路３の出力の他端に接続されている。
【００３５】
本実施形態における負荷回路７ｂを用いた照明装置は、上述した第１実施形態における照明装置１と同様の作用効果を奏するものである。また、それに加えて、可変電流回路９ｂに第２の抵抗素子Ｒ３を追加したことにより、コレクタ電流Ｉｖが流れることにより第２のトランジスタＱ２で発生する熱を分散させて、第２のトランジスタＱ２を保護することが可能となるという特徴を有している。
【００３６】
さらに、一般に、照明用光源の調光仕様によっては、調光回路２における導通角を狭めて大きく減光したときに、光源を意図的に消灯する期間を設けることによって照明の安定性を図る場合がある。そして、本実施形態における負荷回路７ｂでは、可変電流回路９ｂに第２の抵抗素子Ｒ３を追加したことにより、特に調光回路２で設定される導通角が狭い場合、負荷６の負荷電流Ｉｃの減少に第２のトランジスタＱ２のコレクタ電流Ｉｖの増大が十分に追随せず、図５（ｂ）に示すように、調光回路に流れる電流Ｉｏが、サイリスタＱ０のオン期間の途中で減少して最小保持電流を下回ることによってサイリスタＱ０がオフになり、この時点で光源が消灯するように動作する。したがって、本実施形態における負荷回路７ｂのこの動作を活用して、上述したような調光仕様を容易に実現することができる。
【００３７】
（第４実施形態）
図６（ａ）に示すように、本実施形態における負荷回路７ｃは、その可変電流回路９ｃにおいて、第２のトランジスタＱ２のベース端子に一端が接続される第１の抵抗素子Ｒ２の他端が、平滑回路４を構成する第１のダイオードＤ５とコンデンサＣ１の接続点に接続されている点で、図２に示す負荷回路７と相違するものである。
【００３８】
本実施形態における負荷回路７ｃを用いた照明装置は、上述した第１実施形態における照明装置１と同様の作用効果を奏するものである。また、それに加えて、第１の抵抗素子Ｒ２の他端を、平滑回路４を構成する第１のダイオードＤ５とコンデンサＣ１の接続点に接続したことにより、第２のトランジスタＱ２のベース端子に平滑化後の安定した電圧が印加されることにより、ベース電流、ひいてはコレクタ電流Ｉｖを安定して流すことが可能になる。これによって、図６（ｂ）に示すように、調光回路２における導通角を狭め、照明用光源を大きく減光するように調光した場合でも、調光回路２に流れる電流Ｉｏを、サイリスタＱ０の最小保持電流以上の電流に確実に維持することができる。
【００３９】
（第５実施形態）
図７（ａ）に示すように、本実施形態における負荷回路７ｄは、その定電流制御回路８ｄが、検出抵抗Ｒ１に並列接続された２個のダイオードＤ６、Ｄ７からなる第２のダイオードをさらに有する点で、図２に示す負荷回路７と相違するものである。
【００４０】
図７（ｂ）を参照して、本実施形態における第２のダイオードＤ６，Ｄ７（各ダイオードの順方向降下電圧をＶｆとする）の作用を説明すると、次の通りである。調光回路２のサイリスタＱ０のオンにより、点灯回路５には電流Ｉｃが流れ始めるが、この際、サイリスタＱ０のオン後の短期間に、いわゆる突入電流として異常に大きな電流が流れる場合がある。本実施形態における負荷回路７ｄでは、検出抵抗Ｒ１（抵抗値をＲとする）に並列に第２のダイオードＤ６、Ｄ７を接続しているため、Ｉｃの値が（Ｖｆ×２）／Ｒ以上になると、第２のダイオードＤ６、Ｄ７が導通し、突入電流の一部が第２のダイオードＤ６，Ｄ７を通じて分岐して流れることになる（分岐電流Ｉｄ）。その後、Ｉｃの値が（Ｖｆ×２）／Ｒ以下になると第２のダイオードＤ６、Ｄ７の導通は遮断され、検出抵抗Ｒ１に流れる電流Ｉｒは、負荷回路７ｄの通常動作により、ＶＢＥ／Ｒ（但し、ＶＢＥは、第１のトランジスタＱ１のベース・エミッタ間電圧）に維持される。
【００４１】
このように、本実施形態における負荷回路７ｄを用いた照明装置では、上述した第１実施形態における照明装置１と同様の作用効果を奏することに加えて、検出抵抗Ｒ１に流れる突入電流を第２のダイオードＤ６、Ｄ７を通じて流すことが可能となり、検出抵抗Ｒ１に流れる電流Ｉｒを均一化するとともに、負荷回路７ｄの後段に接続される平滑回路３のコンデンサＣ１への突入電流による抵抗損失を軽減することができる。
【００４２】
尚、本実施形態では、第２のダイオードを２個のダイオードＤ６，Ｄ７により構成したが、第２のダイオードの順方向降下電圧が、第１のトランジスタＱ１のベース・エミッタ間電圧ＶＢＥよりも大きく、第２のダイオードを通じて突入電流を流した後は、定電流制御回路８ｄが通常動作するものである限り、この構成に限定されるものではない。第１のトランジスタＱ１、及び、第２のダイオードを構成するダイオードを適切に選択することによって、第２のダイオードを１個、または、３個以上のダイオードにより構成するものであってもよい。
【００４３】
以上、本発明を好ましい実施形態によって説明したが、本発明は、上述した実施形態に限定されるものではなく、本発明の技術的思想の範囲内で種々の変形や応用が可能である。
【００４４】
例えば、上述した実施形態では、図２、図５（ａ）、図６（ａ）、図７（ａ）に示すように、第１のトランジスタＱ１及び第２のトランジスタＱ２としてＮＰＮトランジスタを用いた回路が示されているが、本発明に係る照明装置において、その負荷回路は、ＰＮＰトランジスタを用いて構成するものであってもよい。同様に、図３には、第２のトランジスタＱ３として、Ｎｃｈ−ＭＯＳＦＥＴを用いた回路が示されているが、本発明に係る照明装置において、その負荷回路は、Ｐｃｈ−ＭＯＳＦＥＴを用いて構成するものであってもよい。
【符号の説明】
【００４５】
１：照明装置、２：調光回路、３：整流回路、４：平滑回路、５：点灯回路、６：負荷（照明用光源）、７，７ａ，７ｂ，７ｃ，７ｄ：負荷回路、８，８ａ，８ｄ：定電流制御回路、９，９ａ，９ｂ，９ｃ：可変電流回路、Ｃ１：コンデンサ、Ｄ１，Ｄ２，Ｄ３，Ｄ４：ダイオード、Ｄ５：第１のダイオード、Ｄ６，Ｄ７：第２のダイオード、Ｉｃ：点灯回路に流れる電流、Ｉｖ：負荷回路の負荷電流、Ｉｏ：調光回路に流れる電流、Ｉｄ：第２のダイオードに流れる分岐電流、Ｉｒ：検出抵抗に流れる電流、Ｑ０：双方向三端子サイリスタ（サイリスタ）、Ｑ１：第１のトランジスタ、Ｑ２：第２のトランジスタ、Ｑ３：第２のトランジスタ（ＭＯＳＦＥＴ）、Ｒ１：検出抵抗、Ｒ２：第１の抵抗素子、Ｒ３：第２の抵抗素子、Ｖａｃ：商用交流電源電圧、ＺＤ１：ツェナーダイオード
【図１】
2011003467.tif 000003
【図２】
2011003467.tif 000004
【図３】
2011003467.tif 000005
【図４】
2011003467.tif 000006
【図５】
2011003467.tif 000007
【図６】
2011003467.tif 000008
【図７】
2011003467.tif 000009